(57)【要約】【課題】木造の柱に軽量形鋼からなる鉄骨ばり等の横架材を容易に接合できる木造軸組の接合構造および接合金物を提供する。【解決手段】軽量Ｈ形鋼からなる鉄骨ばり２と木造の柱１と当該柱１，１間の対向する側面部１ａに鉄骨ばり２の端部を接合する接合金物３とから構成する。接合金物３は、柱１，１間の対向する側面部１ａにボルト止めされた固定部３ａと、鉄骨ばり２の端部にボルト止めされた接合部３ｂと、固定部３ａと接合部３ｂとを連結する腕部３ｃとから形成する。固定部３ａは柱１のほぼ軸芯を通る鉛直面内で柱１の側面部１ａにボルト止めする。接合部３ｂは柱１および鉄骨ばり２のほぼ軸芯を通る鉛直面内に形成する。腕部３ｃは柱１および鉄骨ばり２のほぼ軸芯を通る鉛直面の面外に形成する。【選択図】図２
2010095968.tif 000002
【特許請求の範囲】
【請求項１】
鉄骨材からなる横架材と木造の軸組材と当該軸組材間の対向する側面部に前記横架材の端部を接合する接合金物とからなる木造軸組の接合構造であって、前記接合金物は、前記軸組材間の対向する側面部にボルト止めされた固定部と、前記横架材の端部にボルト止めされた接合部と、前記固定部と接合部とを連結する腕部とから形成され、前記固定部は前記横架材のほぼ軸芯を通る鉛直面内で前記軸組材の側面部にボルト止めされ、前記接合部は前記固定部のボルト止め部のほぼ中心および前記横架材のほぼ軸芯を通る鉛直面内に形成され、かつ前記腕部は前記固定部のボルト止め部のほぼ中心および前記横架材のほぼ軸芯を通る鉛直面の面外に形成されてなることを特徴とする木造軸組の接合構造。
【請求項２】
軸組材は木造の柱であり、接合金物は、前記柱間の対向する側面部にボルト止めされた固定部と、前記横架材の端部にボルト止めされた接合部と、前記固定部と接合部とを連結する腕部とから形成され、前記固定部は前記柱および横架材のほぼ軸芯を通る鉛直面内で前記柱の側面部にボルト止めされ、前記接合部は前記固定部のボルト止め部のほぼ中心、前記柱および横架材のほぼ軸芯を通る鉛直面内に形成され、かつ前記腕部は前記固定部のボルト止め部のほぼ中心、前記柱および横架材のほぼ軸芯を通る鉛直面の面外に形成されてなることを特徴とする請求項１記載の木造軸組の接合構造。
【請求項３】
鉄骨材には、軽量Ｈ形鋼または複数の軽量溝形鋼を背中合わせに抱き合せて形成された形鋼が用いられていることを特徴とする請求項１または２記載の木造軸組の接合構造。
【請求項４】
鉄骨材からなる横架材と木造の軸組材とを接合する木造軸組の接合金物であって、前記軸組材間の対向する側面部にボルト止めされる固定部と、前記横架材の端部にボルト止めされる接合部と、前記固定部と接合部とを連結する腕部とからなり、前記固定部には前記横架材のほぼ軸芯を通る鉛直面内で前記軸組材の側面部にボルト止めするためのボルト孔が形成され、前記接合部は前記固定部のボルト止め部のほぼ中心および前記横架材のほぼ軸芯を通る鉛直面内に形成され、かつ前記腕部は前記固定部のボルト止め部のほぼ中心および前記横架材のほぼ軸芯を通る鉛直面の面外に形成されてなることを特徴とする木造軸組の接合金物。
【請求項５】
接合金物は、金属板を折り曲げ加工したものであり、固定部から腕部にかけて前記固定部の一側でほぼ直角に折曲させ、さらに前記腕部から接合部にかけて前記接合部が前記固定部とほぼ直角となり、かつ横架材のほぼ軸芯を通るように折曲させ、前記固定部および接合部にそれぞれ軸組材および横架材にボルト止めするためのボルト孔が形成されてなることを特徴とする請求項４記載の木造軸組の接合金物。
【発明の詳細な説明】
【技術分野】
【０００１】
本発明は木造軸組の接合構造および接合金物に関し、主として軽量溝形鋼または軽量Ｈ形鋼などの軽量鉄骨材からなる胴差しや梁などの横架材と木造の柱または梁とを接合する際に適用される。
【背景技術】
【０００２】
木造の建物においても、広い開口や部屋を必要とする場合などには鉄骨ばりが用いられ、木造建築の場合、特に胴差しや梁などの横架材には主として軽量溝形鋼や軽量Ｈ形鋼などの鉄骨材が用いられる。
【０００３】
例えば、図１０〜図１４はその一例を示し、図１０（ａ），（ｂ）は、軽量溝形鋼を鉄骨ばりとする木造軸組を示し、軽量溝形鋼からなる２本の鉄骨ばり１０，１０が木造の柱１１，１１間に架け渡され、その両端部は柱１１，１１の両側に柱１１を挟みこむように添え付けられ、そして柱１１，１１に複数のボルト１２によって接合されている。
【０００４】
また、図１１〜図１４は、軽量Ｈ形鋼を鉄骨ばりとする木造の軸組を示し、鉄骨ばり１０は木造の柱１１，１１間に架け渡され、その両端部は柱１１，１１間の対向する側面部にＴ型金物１３、Ｌ型金物１４、あるいはコの字型金物１５によってそれぞれ接合されている。
【０００５】
Ｔ型金物１３は、図１１に図示するように、フランジ１３ａを柱１１，１１間の対向する側面部に複数のボルトでボルト止めすることにより柱１１の側面部に取り付けられ、鉄骨ばり１０の端部は当該鉄骨ばり１０のウェブ１０ａの端部をＴ型金物１３のウェブ１３ｂに複数のボルトでボルト止めすることによりＴ型金物１３に接合されている。
【０００６】
また、Ｔ型金物１３を柱１１に取り付ける方法として、図１２（ａ），（ｂ）に図示するように、Ｔ型金物１３のウェブ１３ｂに切り欠き１３ｃを設け、この切り欠き１３ｃ内においてフランジ１３ａを柱１１の側面部にボルト止めすることも行なわれている。
【０００７】
Ｌ型金物１４は、図１３（ａ）に図示するように、一方のフランジ１４ａを柱１１，１１間の対向する側面部に複数のボルトでボルト止めすることにより柱１１の側面部に取り付けられ、鉄骨ばり１０の端部は当該鉄骨ばり１０のウェブ１０ｂの端部をＬ型金物１４の他方のフランジ１４ｂに複数のボルトでボルト止めすることによりＬ型金物１４に接合されている。
【０００８】
さらに、コの字型金物１５は、図１４（ａ），（ｂ）に図示するように、フランジ１５ａを柱１１，１１間の対向する側面部に複数のボルトでボルト止めすることにより柱１１の側面部に取り付けられ、鉄骨ばり１０の端部は当該鉄骨ばり１０のウェブ１０ａの端部をコの字型金物１５のウェブ１５ｂ，１５ｂの一方に複数の接合ボルトでボルト止めすることによりコの字型金物１５に接合されている。
【特許文献１】特開２０００−１９９２２７３号公報
【特許文献２】特開２００２−１３２０１号公報
【特許文献３】特開２００４−１６９４４３号公報
【発明の開示】
【発明が解決しようとする課題】
【０００９】
しかし、図１０（ａ），（ｂ）に図示する接合構造の場合、柱芯と梁芯は一致するもの
の、鉄骨ばりとして設置された２本の軽量溝形鋼の間に、柱の断面寸法分の隙間(空間)ができるため、鉄骨ばりの上に床材を設置して居室の床とした場合、２本の軽量溝形鋼の挙動が同一でないために居住者に不快な感じを与えるおそれがあり、居室の床ばりとして適用しにくいという問題があった。
【００１０】
また、図１１に図示する接合構造の場合は、鉄骨ばりと柱を双方の軸芯が一致するように接合できるものの、Ｔ型金物のフランジを柱の側面部にウェブの両側でボルト止めするため、ボルトの本数が多くなり、その分手間とコストが嵩むという問題があった。
【００１１】
また、図１２（ａ），（ｂ）に図示する接合構造の場合は、Ｔ型金物を柱にボルト止めするボルトの本数を節約でき、しかも偏芯の問題も解消できるものの、Ｔ型金物のウェブを一部切り欠くことにより断面欠損によるＴ型金物の強度低下を免れないという問題があり、これを補うために金物の板厚を厚くする必要があった。
【００１２】
また、図１３（ａ），（ｂ）に図示する接合構造の場合は、接合金物を柱にボルト止めするためのボルトの位置と柱および鉄骨ばりの軸芯を一致させることができず、偏芯の問題を解消できないという課題があった。
【００１３】
そして、図１４（ａ），（ｂ）に図示する軸組構造の場合は、コの字型金物でＨ形鋼の鉄骨ばりを柱に接合するには、２枚あるウェブの一方が無駄になるだけでなく、柱と鉄骨ばりを接合する際の邪魔になるおそれもあった。
【００１４】
本発明は、以上の課題を解決するためになされたもので、木造の柱に軽量形鋼からなる鉄骨ばり等の横架材を容易に接合できる木造軸組の接合構造および接合金物を提供することを目的とする。
【発明の効果】
【００１５】
本発明によれば、鉄骨ばりと軸組材とを接合する接合金物が軸組材間の対向する側面部にボルト止めされた固定部と、横架材の端部にボルト止めされた接合部と、前記固定部と接合部とを連結する腕部とから形成され、前記固定部は前記横架材の軸芯を通る鉛直面内で前記軸組材の側面部にボルト止めされ、前記接合部は前記固定部のボルト止め部のほぼ中心および前記横架材のほぼ軸芯を通る鉛直面内に形成され、かつ前記腕部は前記固定部のボルト止め部のほぼ中心および前記横架材のほほ軸芯を通る鉛直面の面外に形成されていることにより、接合金物を軸組材にボルト止めするボルトの位置と横架材のほぼ軸芯を同一鉛直面内に位置させて横架材と軸組材とを接合することができ、これにより接合部における偏芯の問題を解消することができる。
【００１６】
また、前記腕部は前記固定部のボルト止め部のほぼ中心および前記横架材のほぼ軸芯を通る鉛直面の面外に形成されていることにより、接合金物の固定部を軸組材の側面部にボルト止めする際、腕部が障害になってボルトの締め付けが困難になることもなく、接合金物を軸組材の側面部に容易にボルト止めすることができる等の効果がある。
【００１７】
また特に、請求項２記載の発明によれば、接合金物の固定部は柱および横架材の軸芯を通る鉛直面内で前記柱の側面部にボルト止めされ、かつ接合部は前記固定部のボルト止め部のほぼ中心、前記横架材の軸芯、さらに前記柱の軸芯を通る鉛直面内に形成されていることにより、接合金物を柱にボルト止めするボルトの位置と横架材および柱の軸芯の三者を同一鉛直面内に位置させて横架材と柱とを接合することができる。
【００１８】
さらに、接合金物の固定部、接合部および腕部は鋼板のプレス加工や曲げ加工、あるいは鋳造などによって容易に形成することができる。
【課題を解決するための手段】
【００１９】
請求項１記載の木造軸組の接合構造は、鉄骨材からなる横架材と木造の軸組材と当該軸組材間の対向する側面部に前記横架材の端部を接合する接合金物とからなる木造軸組の接合構造であって、前記接合金物は、前記軸組材間の対向する側面部にボルト止めされた固定部と、前記横架材の端部にボルト止めされた接合部と、前記固定部と接合部とを連結する腕部とから形成され、前記固定部は前記横架材のほぼ軸芯を通る鉛直面内で前記軸組材の側面部にボルト止めされ、前記接合部は前記固定部のボルト止め部のほぼ中心および前記横架材のほぼ軸芯を通る鉛直面内に形成され、かつ前記腕部は前記固定部のボルト止め部のほぼ中心および前記横架材のほぼ軸芯を通る鉛直面の面外に形成されてなることを特徴とするものである。
【００２０】
本発明は、軽量Ｈ形鋼などの軽量鉄骨材からなる鉄骨ばり等の横架材と木造の柱や梁などの軸組材とを、特別な工具を用いず、適正量のボルト数量とソケットレンチ等の一般的な工具によって接合できるようにして現場作業の工数削減と施工の省力化等を可能にしたものであめる。
【００２１】
また、接合金物を軸組材にボルト止めするボルトの位置(ボルト止め部)と横架材の軸芯が同一鉛直面内に位置するように、横架材と軸組材とを接合することにより偏芯の問題を解消するようにしたものである。
【００２２】
本発明によれば、鉄骨ばりと軸組材とを接合する接合金物が軸組材間の対向する側面部にボルト止めされた固定部と、横架材の端部にボルト止めされた接合部と、前記固定部と接合部とを連結する腕部とから形成され、前記固定部は前記横架材の軸芯を通る鉛直面内で前記軸組材の側面部にボルト止めされ、前記接合部は前記固定部のボルト止め部のほぼ中心および前記横架材のほぼ軸芯を通る鉛直面内に形成され、かつ前記腕部は前記固定部のボルト止め部のほぼ中心および前記横架材のほほ軸芯を通る鉛直面の面外に形成されていることにより、接合金物を軸組材にボルト止めするボルトの位置と横架材のほぼ軸芯を同一鉛直面内に位置させて横架材と軸組材とを接合することができる。
【００２３】
また、前記腕部は前記固定部のボルト止め部のほぼ中心および前記横架材のほぼ軸芯を通る鉛直面の面外に形成されていることにより、接合金物の固定部を軸組材の側面部にボルト止めする際、腕部が障害になってボルトの締め付けが困難になることもなく、接合金物を軸組材の側面部に容易にボルト止めすることができる。
【００２４】
請求項２記載の木造軸組の接合構造は、請求項１記載の木造軸組の接合構造において、軸組材は木造の柱であり、接合金物は、前記柱間の対向する側面部にボルト止めされた固定部と、前記横架材の端部にボルト止めされた接合部と、前記固定部と接合部とを連結する腕部とから形成され、前記固定部は前記柱および横架材のほぼ軸芯を通る鉛直面内で前記柱の側面部にボルト止めされ、前記接合部は前記固定部のボルト止め部のほぼ中心、前記柱および横架材のほぼ軸芯を通る鉛直面内に形成され、かつ前記腕部は前記固定部のボルト止め部のほぼ中心、前記柱および横架材のほぼ軸芯を通る鉛直面の面外に形成されてなることを特徴とするものである。
【００２５】
本発明は、特に木造の柱と鉄骨ばり等の横架材とを特別な工具を用いず、適正量のボルト数量とソケットレンチ等の一般的な工具によって接合できるようにして現場作業の工数削減と施工の省力化等を可能にしたものであめる。
【００２６】
また、柱と横架材とを接合する接合金物を柱にボルト止めするボルトの位置(ボルト止
め部)のほぼ中心と横架材のほぼ軸芯、さらに柱の軸芯の三者が同一鉛直面内に位置する
ように、横架材と柱とを接合できるようにして偏芯の問題を解消したものである。
【００２７】
本発明によれば、鉄骨ばりと柱を接合する接合金物が柱間の対向する側面部にボルト止めされた固定部と、横架材の端部にボルト止めされた接合部と、前記固定部と接合部とを連結する腕部とから形成され、特に前記固定部は前記柱および横架材の軸芯を通る鉛直面内で前記柱の側面部にボルト止めされ、前記接合部は前記固定部のボルト止め部のほぼ中心、前記横架材の軸芯、さらに前記柱の軸芯を通る鉛直面内に形成され、かつ前記腕部は前記固定部のボルト止め部のほぼ中心、前記横架材の軸芯、さらに前記柱の軸芯を通る鉛直面の面外に形成されていることにより、接合金物を柱にボルト止めするボルトの位置と横架材および柱の軸芯の三者を同一鉛直面内に位置させて横架材と柱とを接合することができる。
【００２８】
また、腕部は前記固定部のボルト止め部のほぼ中心、前記横架材の軸芯、さらに前記柱の軸芯を通る鉛直面の面外に形成されていることにより、接合金物の固定部を柱の側面部にボルト止めする際、腕部が障害になってボルトの締め付けが困難になることもなく、接合金物を柱の側面部に容易にボルト止めすることができる。
【００２９】
なお、図１４の軸組構造と比較すると、強度面で若干劣るとも考えられるが、特に床組構造として考えた場合、横架材の上には床材が取り付けられることもあるので、強度面での問題は実質的にない。
【００３０】
請求項３記載の木造軸組の接合構造は、請求項１または２記載の木造軸組の接合構造において、鉄骨材には、軽量Ｈ形鋼または複数の軽量溝形鋼を背中合わせに抱き合せて形成された形鋼が用いられていることを特徴とするものである。
【００３１】
請求項４記載の木造軸組の接合金物は、鉄骨材からなる横架材と木造の軸組材とを接合する木造軸組の接合金物であって、前記軸組材間の対向する側面部にボルト止めされる固定部と、前記横架材の端部にボルト止めされる接合部と、前記固定部と接合部とを連結する腕部とからなり、前記固定部には前記横架材のほぼ軸芯を通る鉛直面内で前記軸組材の側面部にボルト止めするためのボルト孔が形成され、前記接合部は前記固定部のボルト止め部のほぼ中心および前記横架材のほぼ軸芯を通る鉛直面内に形成され、かつ前記腕部は前記固定部のボルト止め部のほぼ中心および前記横架材のほぼ軸芯を通る鉛直面の面外に形成されてなることを特徴とするものである。
【００３２】
請求項５記載木造軸組の接合金物は、請求項３記載の木造軸組の接合金物において、金属板を折り曲げ加工したものであり、固定部から腕部にかけて前記固定部の一側でほぼ直角に折曲させ、さらに前記腕部から接合部にかけて前記接合部が前記固定部とほぼ直角となり、かつ横架材のほぼ軸芯を通るように折曲させ、前記固定部および接合部にそれぞれ軸組材および横架材にボルト止めするためのボルト孔が形成されてなることを特徴とするものである。
【００３３】
なお、接合金物の固定部、接合部および腕部は、鋼板の折曲げ加工のほかに、プレス加工や鋳造などによっても一体的に形成することができる。
【発明を実施するための最良の形態】
【００３４】
図１〜図９は、本発明の一実施形態を示し、図において、木造の柱１，１間に軽量形鋼からなる鉄骨ばり２が架け渡され、その両端部は柱１，１間の対向する側面部１ａ，１ａに接合金物３によってそれぞれ接合されている。
【００３５】
図１（ａ）は、軽量Ｈ形鋼からなる鉄骨ばりが用いられている例を示し、図１（ｂ）は
、２本の軽量溝形鋼を背中合わせに抱き合わせて形成された鉄骨ばりが用いられている例を示したものである。
【００３６】
接合金物３は、柱１，１の対向する側面部１ａに複数のボルト４によってボルト止めされた固定部３ａと鉄骨ばり２のウェブ２ａに複数のボルト５によってボルト止めされた接合部３ｂと固定部３ａと接合部３ｂとの間に形成された腕部３ｃとから図面上平面ほぼ逆７の字型に形成されている。
【００３７】
固定部３ａは、柱１，１間の対向する側面部１ａに密着するように柱１の軸直角方向と平行な平板状に形成されている。
【００３８】
接合部３ｂは鉄骨ばり２端部のウェブ２ａの側面に密着するように鉄骨ばり２の軸方向と平行な平板状に形成されている。また、接合部３ｂは柱１および鉄骨ばり２のほぼ軸芯を通る鉛直面内に形成されている。
【００３９】
そして、腕部３ｃは固定部３ａの片側の縁端部に突設され、鉄骨ばり２の軸方向に所定長延長され、かつ柱１および鉄骨ばり２のほぼ軸芯を通る鉛直面の面外側に変形した平板状に形成されている。  
【００４０】
なお、腕部３ｃが柱１および鉄骨ばり２の軸芯を通る鉛直面の外側に変形して形成されていることで、固定部３ａと接合部３ｂとの間に一定の空間部ａが形成され、また、接合部３ｂと腕部３ｃの下端側に切り欠き部ｂが形成されていることで、ボルト４および５の締め付けを容易に行うことができる。
【００４１】
また、固定部３ａには複数のボルト孔３ｄが形成されている。ボルト孔３ｄは柱１および鉄骨ばり２のほぼ軸芯を通る鉛直面内に所定間隔おきに形成されている。接合部３ｂには複数のボルト孔３ｅが上下方向に所定間隔おきに形成されている。
【００４２】
図３（ａ），（ｂ）は、本発明の他の実施形態を示し、図において、木造の梁６，６間に軽量Ｈ形鋼からなる鉄骨ばり２が架け渡され、その両端部は梁６，６間の対向する側面部６ａ，６ａに接合金物３によってそれぞれ接合されている。
【００４３】
接合金物３は、梁６，６の対向する側面部６ａに複数のボルト４によってボルト止めされた固定部３ａと鉄骨ばり２のウェブ２ａに複数のボルト５によってボルト止めされた接合部３ｂと固定部３ａと接合部３ｂとの間に形成された腕部３ｃとから図面上平面ほぼ逆７の字型に形成されている。
【００４４】
固定部３ａは、梁６，６間の対向する側面部６ａに密着するように梁６の軸方向と平行な平板状に形成されている。
【００４５】
接合部３ｂは鉄骨ばり２端部のウェブ２ａの側面に密着するように鉄骨ばり２の軸方向と平行な平板状に形成されている。また、接合部３ｂは鉄骨ばり２のほぼ軸芯を通る鉛直面内に形成されている。
【００４６】
そして、腕部３ｃは固定部３ａの片側の縁端部に突設され、鉄骨ばり２の軸方向に所定長延長され、かつ鉄骨ばり２のほぼ軸芯を通る鉛直面の面外側に変形した平板状に形成されている。  
【００４７】
なお、腕部３ｃが鉄骨ばり２の軸芯を通る鉛直面の外側に変形して形成されていることで、固定部３ａと接合部３ｂとの間に空間部ａが形成されていることで、ボルト４および
５の締め付けを容易に行うことができる。
【００４８】
また、固定部３ａには複数のボルト孔３ｄが形成されている。ボルト孔３ｄは鉄骨ばり２のほぼ軸芯を通る鉛直面内に所定間隔おきに形成されている。接合部３ｂには複数のボルト孔３ｅが上下方向に所定間隔おきに形成されている。
【００４９】
図４〜図９は接合金物の一例を示し、その形状はいずれも基本的に同一であり、柱１，１間の対向する側面部１ａにボルト止めされる固定部３ａと、鉄骨ばり２端部のウェブ２ａにボルト止めされる接合部３ｂと、固定部３ａと接合部３ｂとを連結する腕部３ｃとから形成されている。
【００５０】
また、固定部３ａの柱１のほぼ軸芯を通る鉛直面内にボルト孔３ｄが形成され、接合部３ｂは柱１および横架材２の軸芯を通る鉛直面内に形成され、さらに腕部３ｃは柱１および鉄骨ばり２の軸芯を通る鉛直面の面外に形成されている。さらに、接合部３ｂに複数のボルト孔３ｅが形成されている。
【００５１】
そして、接合金物３の大きさに応じて、ボルト孔３ｄおよび３ｅの大きさと位置が異なっている。
【００５２】
このように形成された接合金物３は、図２に図示するように、柱１，１間の対向する側面部１ａに固定部３ａを当該固定部３ａのボルト孔３ｄを貫通する複数のボルト４によってボルト止めすることにより柱１の側面部１ａに取り付けられている。
【００５３】
また、鉄骨ばり２の端部はウェブ２ａの端部を接合部３ｂに重ね、接合部３ｂのボルト孔３ｅを貫通する複数のボルト５で接合部３ｂにボルト止めすることにより柱１に接合されている。
【産業上の利用可能性】
【００５４】
本発明は、木造の柱にＨ形鋼や溝形鋼などの鉄骨材からなる鉄骨ばりなどの横架材を容易に接合することができる。
【図面の簡単な説明】
【００５５】
【図１】（ａ）は、軽量Ｈ形鋼を鉄骨ばりとする木造軸組の接合構造を示す平面図、（ｂ）は２本の軽量溝形鋼を背中合わせに抱き合わせたものを鉄骨ばりとする木造軸組の接合構造を示す平面図である。
【図２】軽量Ｈ形鋼を鉄骨ばりとする鉄骨ばりと木造の柱との接合部を示す分解斜視図である。
【図３】（ａ）は、軽量Ｈ形鋼を鉄骨ばりとする鉄骨ばりと木造の梁とからなる木造軸組の接合構造を示す一部平面図、（ｂ）は接合部の斜視図である。
【図４】接合金物の一例を示し、（ａ）は平面図、（ｂ）は正面図、（ｃ）は左側面図、（ｄ）は右側面図、（ｅ）は底面図、（ｆ）は（ｂ）におけるイ−イ線断面図である。
【図５】接合金物の一例を示し、（ａ）は平面図、（ｂ）は正面図、（ｃ）は左側面図、（ｄ）は右側面図、（ｅ）は底面図、（ｆ）は（ｂ）におけるイ−イ線断面図である。
【図６】接合金物の一例を示し、（ａ）は平面図、（ｂ）は正面図、（ｃ）は左側面図、（ｄ）は右側面図、（ｅ）は底面図、（ｆ）は（ｂ）におけるイ−イ線断面図である。
【図７】接合金物の一例を示し、（ａ）は平面図、（ｂ）は正面図、（ｃ）は左側面図、（ｄ）は右側面図、（ｅ）は底面図、（ｆ）は（ｂ）におけるイ−イ線断面図である。
【図８】接合金物の一例を示し、（ａ）は平面図、（ｂ）は正面図、（ｃ）は左側面図、（ｄ）は右側面図、（ｅ）は底面図、（ｆ）は（ｂ）におけるイ−イ線断面図である。
【図９】接合金物の一例を示し、（ａ）は平面図、（ｂ）は正面図、（ｃ）は左側面図、（ｄ）は右側面図、（ｅ）は底面図、（ｆ）は（ｂ）におけるイ−イ線断面図である。
【図１０】２本の軽量溝形鋼を鉄骨ばりとする木造軸組の接合構造を示し、（ａ）は平面図、（ｂ）は側面図である。
【図１１】軽量Ｈ形鋼からなる鉄骨ばりと木造の柱とＴ型金物とからなる木造軸組の接合構造を示す平面図である。
【図１２】Ｔ型金物の一例を示し、（ａ）は平面図、（ｂ）は側面図である。
【図１３】（ａ），（ｂ）は軽量Ｈ形鋼からなる鉄骨ばりと木造の柱とＬ型金物とからなる木造軸組の接合構造を示す平面図である。
【図１４】（ａ）は、軽量Ｈ形鋼からなる鉄骨ばりと木造の柱とコの字型金物とからなる木造軸組の接合構造を示す平面図、（ｂ）はその正面図である。
【符号の説明】
【００５６】
１  木造の柱
１ａ  柱の対向する側面部
２  鉄骨ばり
２ａ  ウェブ
３  接合金物
３ａ  固定部
３ｂ  接合部
３ｃ  腕部
３ｄ  ボルト孔
３ｅ  ボルト孔
４  接合ボルト
５  接合ボルト
６  木造の梁
６ａ  梁の対向する側面部
【図１】
2010095968.tif 000003
【図２】
2010095968.tif 000004
【図３】
2010095968.tif 000005
【図４】
2010095968.tif 000006
【図５】
2010095968.tif 000007
【図６】
2010095968.tif 000008
【図７】
2010095968.tif 000009
【図８】
2010095968.tif 000010
【図９】
2010095968.tif 000011
【図１０】
2010095968.tif 000012
【図１１】
2010095968.tif 000013
【図１２】
2010095968.tif 000014
【図１３】
2010095968.tif 000015
【図１４】
2010095968.tif 000016